(57)【要約】   【課題】  異なる種類の原稿群を原稿搬送装置で複写する際に、容易に合紙位置が判別でき、さらには、合紙に適切なインデックス情報を付与可能な画像形成装置を提供する。  【解決手段】  セットされた原稿群を画像読取手段１４に一枚ずつ搬送する原稿搬送手段１３と、前記画像読取手段１４により読取られた原稿画像を順番に用紙に複写する画像形成手段３と、前記画像形成手段３による複写用紙群の間に複写側合紙を挿入する合紙挿入手段３８を備えてなる画像形成装置であって、前記原稿群に挿入された原稿側合紙を検出する合紙検出手段１２１を備え、前記合紙挿入手段３８は、前記合紙検出手段１２１により検出された原稿側合紙に対応して前記複写用紙群の間に複写側合紙を挿入する。【選択図】  図１
2007096568.tif 000002
【特許請求の範囲】
【請求項１】
セットされた原稿群を画像読取手段に一枚ずつ搬送する原稿搬送手段と、前記画像読取手段により読取られた原稿画像を順番に用紙に複写する画像形成手段と、前記画像形成手段による複写用紙群の間に複写側合紙を挿入する合紙挿入手段を備えてなる画像形成装置であって、
前記原稿群に挿入された原稿側合紙を検出する合紙検出手段を備え、前記合紙挿入手段は、前記合紙検出手段により検出された原稿側合紙に対応して前記複写用紙群の間に複写側合紙を挿入する画像形成装置。
【請求項２】
前記合紙挿入手段により挿入される複写側合紙にインデックスデータを印刷するインデックス付与手段を備えている請求項１記載の画像形成装置。
【請求項３】
前記インデックスデータを入力するインデックスデータ入力手段を備えている請求項２記載の画像形成装置。
【請求項４】
前記インデックスデータ入力手段は、装置に着脱自在なメモリ装置を介してインデックスデータを入力する請求項３記載の画像形成装置。
【請求項５】
前記インデックスデータ入力手段は、装置が接続されるネットワークを介してインデックスデータを入力する請求項３記載の画像形成装置。
【請求項６】
前記インデックス付与手段は、前記複写側合紙の端部にタグを印刷する請求項２から５の何れかに記載の画像形成装置。
【請求項７】
前記インデックス付与手段は、前記タグの印刷位置を前記複写側合紙毎に異ならせる請求項６記載の画像形成装置。
【発明の詳細な説明】
【技術分野】
【０００１】
本発明は、セットされた原稿群を画像読取手段に一枚ずつ搬送する原稿搬送手段と、前記画像読取手段により読取られた原稿画像を順番に用紙に複写する画像形成手段と、前記画像形成手段による複写用紙群の間に複写側合紙を挿入する合紙挿入手段を備えてなる画像形成装置に関する。
【背景技術】
【０００２】
ソータやシフトトレイ等の仕分け装置を使用することなく複写用紙群の仕分けを行なうべく、一群の原稿を順次一枚ずつ原稿読取位置に給送する原稿給送手段と、原稿読取位置に給送された原稿の画像を読取って複写用紙に出力する画像形成手段と、画像形成手段によって一群の原稿から複数群の複写用紙に画像を出力する場合に、奇数番目または偶数番目の複写用紙群の各複写用紙の所定位置にインデックスマークを作成するインデックスマーク作成手段を備えた複写機が提案されている。  
【０００３】
また、一群の原稿のうち何枚目かの原稿を合紙原稿として指定し、合紙原稿を複写する際には他の原稿とは別種の用紙を給紙する合紙モードを備えた画像形成装置も提案されていた。ここに、合紙モードでは、給紙された合紙に対して複写処理を行わない場合もある。
【特許文献１】特開２００１−５３３７号公報
【特許文献２】特開特開平７−１９９７４１号公報
【発明の開示】
【発明が解決しようとする課題】
【０００４】
しかし、インデックスマーク作成手段を備えた前者の複写機では、複写紙にコンテンツと直接関係の無いインデックスマークが直接に付与されるので、重要な書類の複写等には使えないという問題があり、合紙モードを備えた後者の画像形成装置によれば、原稿搬送手段を使用して多数枚の原稿群を自動的に搬送させて複写する場合に、オペレータが操作パネル上で「原稿のｘ枚目」と入力することにより合紙挿入位置を指定する必要があり、予め合紙を挿入するために原稿の区切りとなる枚数をカウントしなければならず、極めて煩雑であった。
【０００５】
本発明は、上述の従来欠点に鑑み、異なる種類の原稿群を原稿搬送装置で複写する際に、容易に合紙位置が判別でき、さらには、合紙に適切なインデックス情報を付与可能な画像形成装置を提供する点にある。
【課題を解決するための手段】
【０００６】
上述の目的を達成するため、本発明による画像処理装置の特徴構成は、セットされた原稿群を画像読取手段に一枚ずつ搬送する原稿搬送手段と、前記画像読取手段により読取られた原稿画像を順番に用紙に複写する画像形成手段と、前記画像形成手段による複写用紙群の間に複写側合紙を挿入する合紙挿入手段を備えてなる画像形成装置であって、前記原稿群に挿入された原稿側合紙を検出する合紙検出手段を備え、前記合紙挿入手段は、前記合紙検出手段により検出された原稿側合紙に対応して前記複写用紙群の間に複写側合紙を挿入する点にある。
【０００７】
上述の構成によれば、前記合紙挿入手段が、前記合紙検出手段により検出された原稿側合紙に対応して前記複写用紙群の間に複写側合紙を挿入するため、異なる種類の原稿群を複写して得られた複写用紙群の中から容易に合紙位置を判別することができるのである。
【０００８】
同第二の特徴構成は、上述の第一特徴構成に加えて、前記合紙挿入手段により挿入される複写側合紙にインデックスデータを印刷するインデックス付与手段を備えている点にあり、複写側合紙にインデックスデータを印刷することができるのである。
【０００９】
同第三の特徴構成は、上述の第二特徴構成に加えて、前記インデックスデータを入力するインデックスデータ入力手段を備えている点にあり、複写側合紙に、入力されたインデックスデータを印刷することができるのである。
【００１０】
同第四の特徴構成は、上述の第三特徴構成に加えて、前記インデックスデータ入力手段は、装置に着脱自在なメモリ装置を介してインデックスデータを入力する点にあり、インデックスデータを入力することができるのである。
【００１１】
同第五の特徴構成は、上述の第三特徴構成に加えて、前記インデックスデータ入力手段は、装置が接続されるネットワークを介してインデックスデータを入力する点にあり、インデックスデータを入力することができるのである。
【００１２】
同第六の特徴構成は、上述の第二から第五の何れかの特徴構成に加えて、前記インデックス付与手段は、前記複写側合紙の端部にタグを印刷する点にあり、前記タグを目印にして、異なる種類の原稿群を複写して得られた複写用紙群の中から容易に合紙位置を判別することができるのである。
【００１３】
同第七の特徴構成は、上述の第六特徴構成に加えて、前記インデックス付与手段は、前記タグの印刷位置を前記複写側合紙毎に異ならせる点にあり、前記タグを目印にして、異なる種類の原稿群を複写して得られた複写用紙群の中から容易に合紙位置を判別することができるのである。
【発明の効果】
【００１４】
以上説明した通り、本発明によれば、異なる種類の原稿群を原稿搬送装置で複写する際に、容易に合紙位置が判別でき、さらには、合紙に適切なインデックス情報を付与可能な画像形成装置を提供することができるようになった。
【発明を実施するための最良の形態】
【００１５】
以下、本発明による画像形成装置を説明する。前記画像形成装置としてのデジタル複写機２０は、図２に示すように、原稿の画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて出力用紙である複写用紙１０に画像を形成して出力する画像形成手段３と、当該デジタル複写機２０の各種ジョブの動作モード等を設定する操作入力キーや設定されたジョブを起動するプリントスイッチ等が配置され、前記操作入力キーによる設定情報等が表示されるタッチパネル式の液晶表示部を備えた操作部４を備えて構成されている。  
【００１６】
前記画像読取部１は、図３に示すように、複数の原稿が積層載置される原稿トレイ１２と、前記原稿トレイ１２に積層載置された複数の原稿から原稿を一枚ずつ搬送する原稿搬送手段１３と、前記原稿搬送手段１３により搬送されてくる原稿の画像を読み取る画像読取手段１４としてのＣＣＤリニアセンサ１４と、画像が読み取られた原稿を排出する原稿排出部１５を備えて構成されている。
【００１７】
図２に戻り、前記画像形成手段３は、前記出力画像データに基づいて感光体６０にトナー画像を形成するトナー画像形成部６と、前記形成されたトナー画像が転写される複写用紙１０を搬送する搬送部７と、前記転写された複写用紙１０上のトナー像を内部に挿入設置された加熱ヒータ（不図示）と温度センサ（付図示）により所定温度に加熱された定着ローラ８ａにより加熱溶融して定着する定着部８を備えて構成されている。
【００１８】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を複写用紙１０に転写する転写部と、転写後に前記感光体６０に残存するトナーを除去するクリーニング部６４と、前記感光体６０表面の残留電位を落して均一にする除電ランプ６５を備えて構成されている。尚、前記現像部６３には、カラー画像を生成可能とするため、シアン、マゼンダ、イエロー、ブラックの４色の現像ブロックが配置されている。
【００１９】
前記搬送部７は、夫々サイズや用紙の種類が異なる複写用紙１０が収容された複数の一般給紙カセット１１ａ或いは任意に異なるサイズの複写用紙１０が設置される手差し給紙カセット１１ｂから前記複写用紙１０を１枚ずつ給紙する給紙搬送部７ａと、前記給紙された複写用紙１０を前記転写部に搬送し、トナー像が転写された前記複写用紙１０を前記定着部８に向けて搬送する転写搬送部７ｂと、前記定着部８を通過した前記複写用紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆを備えて構成され、夫々には搬送用のローラが設けられている。
【００２０】
前記操作部４は、前記画像読取部１の手前側に配置され、図４に示すように、左側に画像表示部としてのタッチパネル式の液晶表示部２６を備え、また右側に種々の操作入力キー群２４を備えている。前記操作入力キー群２４は、例えば、コピー枚数等を設定する数値入力キー２１、プリントスイッチとしてのスタートキー２２、クリア／ストップキー２３、カーソルキー２９、リセットキー１９等の複写動作の基本制御キー群と、特殊モード設定キー群２５等により構成されている。
【００２１】
前記デジタル複写機１の制御部は、図５に示すように、前記画像読取部１による原稿の読取動作を制御する画像読取制御部１Ａと、前記出力画像データ生成部２と、前記画像形成手段３を制御する画像形成制御部３Ａと、前記操作部４の入出力信号を制御する操作制御部４Ａと、上述の各制御ブロック、つまり、前記画像読取制御部１Ａと前記出力画像データ生成部２と前記画像形成制御部３Ａと前記操作制御部４Ａの動作タイミング等を制御して原稿画像の複写動作等の実行を管理するシステム制御部５を備えて構成されている。尚、前記各制御ブロックと前記システム制御部５には、夫々ＣＰＵ及びＣＰＵによる動作プログラムが格納されたＲＯＭ等が設けられている。
【００２２】
前記画像読取制御部１Ａは、前記原稿搬送手段１３を駆動して前記原稿トレイ１２に積層載置された複数の原稿から原稿を一枚ずつ搬送するとともに、前記ＣＣＤリニアセンサ１４により読み取られた各原稿画像に対応するアナログ信号からＡ／Ｄ変換手段１０３によりデジタルデータに変換して得られた画像データに対して、所定の変換テーブルが設けられた入力画像処理手段１０４によりシェーディング補正やγ補正を施すように構成されている。
前記出力画像データ生成部２は、前記入力画像処理手段１０４から出力された画像データに基づいて詳細は後述する合紙検出等を行う合紙検出手段１２１と、前記画像データに対して空間フィルタ処理、中間調処理、拡縮処理等の画像データ変換処理を行なう画像変換部１２２と、前記画像変換部１２２からの出力画像データを前記プリントヘッド６２に対する駆動信号に変換するデータ変換手段１２３を備えて構成され、前記変換した駆動信号を前記プリントヘッド６２の駆動回路に出力するように構成されている。
【００２３】
前記画像形成制御部３Ａは、前記データ変換手段１２３から入力される駆動信号に基づいて前記搬送部７を駆動して前記複数の一般給紙カセット１１ａ或いは前記手差しカセット１１ｂから複写用紙１０を搬送させるとともに、所定のタイミングで前記トナー画像形成部６を駆動して前記プリントヘッド６２により前記感光体６０にトナー画像を形成し、前記形成した前記トナー画像を前記複写用紙１０に転写し、更に、前記定着部８を駆動して前記複写用紙１０に転写されたトナー画像を定着処理し、前記定着処理した複写用紙１０を前記デジタル複写機２０外に排出するように構成されている。
また、前記画像形成制御部３Ａは、前記デジタル複写機２０から排出される前記複写用紙１０の間に複写側合紙を挿入する合紙挿入手段３８を備え、前記合紙検出手段１２１による所定の処理結果に基づいて、前記給紙する複写用紙１０を、前記複数の一般給紙カセット１１ａや前記手差しカセット１１ｂの何れかから選択して給紙する複写側合紙挿入処理を実行するように構成されている。
つまり、前記デジタル複写機２０は、前記操作制御部４Ａにより、例えば、図６に示すように、前記タッチパネル式のカラー液晶表示部２６に、前記画像形成手段３により画像が記録される前記複写用紙１０の用紙サイズやその方向（印刷の向き）、その給紙方法の設定を行う基本設定キー群５５ａ、前記画像の複写倍率や画像の複写濃度、カラー複写または白黒複写を設定するイメージ設定キー群５５ｂ、前記複写用紙１０が排出されるときの前記複写用紙１０の振り分け形態を設定する排紙設定キー群５５ｃ等の各動作モードを設定する動作モード設定キー群５５からなるモード設定画面を表示し、前記動作モード設定キー群５５や前記操作入力キー群２４を介して複写枚数、複写用紙サイズ、複写倍率等を適切に設定した後に前記プリントスイッチが押圧操作されたときに、前記原稿トレイ１２に載置された原稿の複写動作を開始する。
即ち、前記システム制御部５は、前記画像読取制御部１Ａに原稿画像の読取りコマンドを出力して、前記画像処理部２に読取られた原稿画像データに基づいた出力画像の生成コマンドを出力し、前記画像出力制御部３Ａに画像出力コマンドを出力する。前記画像出力制御部３Ａは、前記搬送部７を駆動して前記一般給紙カセット１１ａ或いは前記手差しカセット１１ｂから複写用紙１０を搬送させた後に、所定のタイミングで前記画像出力制御部３Ａに画像データ出力コマンドを出力して前記プリントヘッド６２等を駆動する。そして、前記プリントヘッド６２により露光された前記感光体６０にトナー画像が形成されると、前記トナー像が前記複写用紙１０に転写され、前記定着部８で定着処理された後に前記デジタル複写機２０外に排出される。尚、前記画像形成手段３は、前記原稿トレイ１２に積層載置された複数の原稿から原稿が搬送される順にしたがって、前記原稿に対応する複写画像を前記複写用紙上に形成するとともに、前記搬送部７は、前記複写画像が形成された順に、前記複写画像が形成された複写用紙１０を前記デジタル複写機２０外に排出する。
また、前記デジタル複写機２０は、前記原稿トレイ１２に積層載置される複数の原稿に原稿側合紙が含まれていたときには、前記複写側合紙挿入処理により、前記原稿側合紙に対応して出力される複写用紙１０ａを、前記各原稿に対応して出力される複写用紙１０ｂが収容されている第一の給紙カセットとは異なる第二の給紙カセットから給紙する。つまり、前記複数の一般給紙カセット１１ａや前記手差し給紙カセット１１ｂのうちからそれぞれ設定された前記第一の給紙カセットと前記第二の給紙カセットに、予め異なる種類の複写用紙１０をセットしておくことにより、前記デジタル複写機２０は、前記原稿側合紙に対応して出力される複写用紙１０ａと、前記原稿側合紙以外の前記各原稿に対応して出力される複写用紙１０ｂの種類を異ならせて複写することで、前記デジタル複写機２０から排出される複写用紙１０の束の間に、前記各原稿に対応して出力される複写用紙１０ｂとは異なる種類の複写用紙１０ａからなる複写側合紙が含まれるように複写する。
【００２４】
ここで、前記原稿側合紙は、図７（ａ）に示すように、前記原稿トレイ１２に積層載置される複数の原稿Ｇｐの所定の原稿間に挿入することで、前記積層載置される複数の原稿を、幾つかの原稿群Ｐａ１、Ｐａ２、Ｐａ３に区分けするための挿入紙Ｓｐ２、Ｓｐ３であり、例えば、複数のページに渡って記載されている一連の文書が複数種類あり、それらを束ねたときに、各一連の文書を容易に区分可能なように、各一連の文書間に目印として挿入されるものである。また、前記原稿側合紙は、前記原稿トレイ１２に積層載置される複数の原稿Ｇｐの先頭に原稿側表紙Ｓｐ１として付加されていることもある。
【００２５】
以下、前記合紙検出手段１２１及び前記合紙挿入手段３８による前記複写側合紙挿入処理について詳述する。前記合紙検出手段１２１は、前記入力画像処理手段１０４から出力された画像データに基づいて、前記ＣＣＤリニアセンサ１４により順次画像が読み取られる原稿から原稿側合紙を検出するもので、図１に示すように、前記画像が読み取られた原稿が原稿側合紙であるか否かを判断するとともに、前記判断結果を前記合紙挿入手段３８に送信する原稿側合紙判断部３０と、前記原稿側合紙判断部３０により前記原稿が原稿側合紙であると判断されたときに、前記入力画像処理手段１０４から出力された画像データをインデックスデータに変換するインデックスデータ付与手段３１を備えて構成されている。
前記原稿合紙判断部３０は、前記原稿を原稿側合紙と判断するためのサンプル画像データやサンプル条件が予め記憶されたサンプル記憶部３５を備え、図８に示すように、前記入力画像処理手段１０４から原稿一枚分の画像データが出力されると（ＳＡ１）、前記画像データを前記サンプル記憶部３５に記憶されているサンプル画像データやサンプル条件と比較し（ＳＡ２）、これらが一致したときに（ＳＡ３）、前記画像データの基となった原稿を原稿側合紙として判断する（ＳＡ４）。また、これらが一致しなかったときに（ＳＡ３）、前記画像データの基となった原稿を原稿側合紙ではない、つまり、真の原稿として判断する（ＳＡ５）。つまり、例えば、前記サンプル画像データや前記サンプル条件を、全面単一色となっている原稿に基づいた画像データや条件とすれば、原稿が全面単一色であったときに、前記原稿を原稿側合紙として判断する。
【００２６】
また、前記原稿合紙判断部３０は、前記原稿の判断結果を前記合紙挿入手段３８に送信する（ＳＡ６）。
【００２７】
前記合紙挿入手段３８は、図９に示すように、前記原稿合紙判断部３０から前記原稿の判断結果を受信すると（ＳＢ１）、前記判断結果に応じて、前記搬送部７により、前記判断された原稿の画像が複写される複写用紙１０を、前記複数の一般給紙カセット１１ａや前記手差し給紙カセット１１ｂにセットされている複写用紙１０から選択して給紙する。
つまり、前記合紙挿入手段３８は、前記原稿が真の原稿であったときには（ＳＢ２）、前記複数の一般給紙カセット１１ａや前記手差し給紙カセット１１ｂのうちの何れかから予め設定された第一の給紙カセットから前記複写用紙１０ｂを給紙させる（ＳＢ３）。また、前記原稿が原稿側合紙であったときには（ＳＢ２）、前記複数の一般給紙カセット１１ａや前記手差し給紙カセット１１ｂのうちの何れかから予め設定された前記第一の給紙カセットとは異なる第二の給紙カセットから前記複写用紙１０ａを給紙させる（ＳＢ４）。
つまり、前記複写側合紙挿入処理では、前記原稿トレイ１２に積層載置される複数の原稿Ｇｐの所定の原稿間に前記原稿側合紙が挿入されていたり、先頭に前記原稿側合紙が表紙として付加されていたときには、前記デジタル複写機２０外に排出される複写用紙１０の束Ｇｏは、図７（ｂ）に示すように、前記原稿群Ｐａ１、Ｐａ２、Ｐａ３に対応した複写用紙群Ｐｏ１、Ｐｏ２、Ｐｏ３が、前記挿入紙Ｓｐ２、Ｓｐ３としての原稿側合紙Ｓｐ２、Ｓｐ３に対応した複写側合紙Ｓｏ２、Ｓｏ３によって区分けされるとともに、先頭に、前記原稿側表紙Ｓｐ１に対応した複写側表紙Ｓｏ１が付加される。また、このとき、前記複写用紙群Ｐｏ１、Ｐｏ２、Ｐｏ３と複写側合紙Ｓｏ１、Ｓｏ２、Ｓｏ３は、異なる種類の複写用紙１０となっている。よって、ユーザは、これらの用紙の種類の違いを目印として、前記複写用紙１０の束Ｇｏの中から前記複写側合紙Ｓｏ１、Ｓｏ２、Ｓｏ３の位置を容易に判別することができるとともに、前記複写側合紙Ｓｏ１、Ｓｏ２、Ｓｏ３の位置に基づいて、前記複写用紙群Ｐｏ１、Ｐｏ２、Ｐｏ３の仕分けを容易に行うことができる。
【００２８】
前記インデックスデータ付与手段３１は、前記複写側合紙Ｓｏ１、Ｓｏ２、Ｓｏ３に、前記複写用紙群Ｐｏ１、Ｐｏ２、Ｐｏ３を識別するインデックスを印字するために所定の処理を行うもので、外部から入力される入力インデックスデータを記憶する入力インデックスデータ記憶部３２と、前記原稿合紙判断部３０が原稿を原稿側合紙として判断した回数Ｎをカウントする合紙カウント部３３と、前記入力インデックスデータ記憶部３２に記憶されている入力インデックスデータと前記合紙カウント部３３のカウント値Ｎに基づいてインデックスデータを生成するインデックスデータ生成部３４と、前記入力画像処理手段１０４から出力された画像データを前記インデックスデータ生成部３４により生成されたインデックスデータに置換処理する置換処理部３７を備えて構成されている。
【００２９】
尚、前記入力インデックスデータは、例えば、前記デジタル複写機１に第一のインデックスデータ入力手段としてのメモリ装置を着脱可能な第一のインターフェース部を備え、前記第一のインターフェース部に接続されたメモリ装置から、前記入力インデックスデータ記憶部３２が、前記メモリ装置に記憶されている入力インデックスデータを読み取ることで、前記入力インデックスデータ記憶部３２が前記入力インデックスデータを記憶する構成としてもよいし、或いは、前記デジタル複写機１に外部の情報端末機器とネットワーク接続する第二のインデックスデータ入力手段としての第二のインターフェース部を備え、前記第二のインターフェース部によりネットワーク接続された前記外部の情報端末機器から前記入力インデックスデータが前記入力インデックスデータ記憶部３２に記憶される構成としてもよい。
【００３０】
ここで、前記入力インデックスデータＤｉは、例えば、図１０に示すように、所定のフォーマット形式に基づいて、前記原稿トレイ１２に積層載置される複数の原稿Ｇｐにおける各一連の文書Ｓｐ１、Ｓｐ２、ＳＰ３の番号やタイトル、作成日、作成者等の詳細インデックスデータＤｄと、前記各一連の文書が束ねられている順序データＤｎ等から構成されている。
【００３１】
以下、前記インデックスデータ付与手段３１の動作について図１１のフローチャートに基づいて説明する。前記操作部４により当該デジタル複写機２０の複写動作開始スイッチ、例えば、前記プリントスイッチとしてのスタートキー２２が操作されると（ＳＣ１）、前記合紙カウント部３３は、そのカウント値Ｎ、つまり、前記原稿合紙判断部３０が原稿を原稿側合紙と判断した回数Ｎを０にリセットする（ＳＣ２）。
【００３２】
また、前記合紙カウント部３３は、前記原稿側合紙判断部３０により、前記原稿が原稿側合紙であると判断されると（ＳＣ３）、前記カウント値Ｎをインクリメントする（ＳＣ４）。
前記インデックスデータ生成部３４は、前記カウント値Ｎがインクリメントされると、前記入力インデックスデータＤｉにおいて、前記順序データＤｎが前記カウント値Ｎに対応している詳細インデックスデータＤｄ（Ｎ）を抽出するとともに（ＳＣ５）、前記抽出した詳細インデックスデータＤｄ（Ｎ）に基づいて、例えば、図１２に示すような、予め設定されているフォーマット形式でインデックスデータを生成する（ＳＣ６）。
【００３３】
前記置換処理部３７は、前記インデックスデータ生成部３４によりインデックスデータが生成されると、前記入力画像処理手段１０４から出力された画像データ、つまり、前記原稿側合紙に基づいた画像データを、前記インデックスデータに置換処理するとともに（ＳＣ７）、前記置換処理したインデックスデータを、前記画像変換部１２２に出力する（ＳＣ８）。
【００３４】
尚、前記原稿側合紙判断部３０により、前記原稿が真の原稿であると判断されたときには（ＳＣ３）、前記入力画像処理手段１０４から出力された画像データ、つまり、前記真の原稿に基づいた画像データをそのまま、前記画像変換部１２２に出力する（ＳＣ８）。
【００３５】
つまり、前記デジタル複写機２０は、前記原稿トレイ１２に積層載置される複数の原稿Ｇｐに、前記原稿側合紙Ｓｐ１、Ｓｐ２、Ｓｐ３が含まれていたときには、前記原稿側合紙Ｓｐ１、Ｓｐ２、Ｓｐ３が含まれていた位置に対応する前記複写用紙の束Ｇｏの所定の位置に、前記複写側合紙Ｓｏ１、Ｓｏ２、Ｓｏ３が挿入等されるように出力されるとともに、前記複写側合紙Ｓｏ１、Ｓｏ２、Ｓｏ３によって区分けされた各複写用紙群Ｐｏ１、Ｐｏ２、Ｐｏ３を識別するインデックスが前記各複写用紙群Ｐｏ１、Ｐｏ２、Ｐｏ３に対応した前記複写側合紙Ｓｏ１、Ｓｏ２、Ｓｏ３に印字されるように構成されている。即ち、前記複写側合紙Ｓｏ１、Ｓｏ２、Ｓｏ３は、インデックスシートとしての機能を併せ持つこととなるため、ユーザは、前記複写側合紙Ｓｏ１、Ｓｏ２、Ｓｏ３を目印として前記複写用紙の束Ｇｏを前記各複写用紙群Ｐｏ１、Ｐｏ２、Ｐｏ３に分離する際に、前記各複写用紙群Ｐｏ１、Ｐｏ２、Ｐｏ３の概要をインデックスシートとしての前記複写側合紙Ｓｏ１、Ｓｏ２、Ｓｏ３により容易に判別することができる。
【００３６】
尚、前記インデックスデータ生成手段３４は、図１３に示すように、前記カウント値Ｎに応じて、前記複写側合紙Ｓｏ１、Ｓｏ２、Ｓｏ３のそれぞれに、タグＴ１、Ｔ２、Ｔ３が印刷されるように前記インデックスデータを生成する構成としてもよい。このとき、前記インデックスデータ生成手段３４は、前記タグＴ１、Ｔ２、Ｔ３を、前記各複写側合紙Ｓｏ１、Ｓｏ２、Ｓｏ３間では異なる位置に印刷されるように前記インデックスデータを生成する構成としてもよい。ユーザは、複写側合紙の位置を更に容易に判別することができる。
【００３７】
また、前記デジタル複写機２０は、前記原稿トレイ１２に積層載置された複数の原稿Ｇｐに対応して前記デジタル複写機２０から出力する前記複写用紙の束Ｇｏを前記デジタル複写機２０から出力する前に、図１４に示すような、前記複写用紙の束Ｇｏを構成する各一連の文書、つまり、前記各複写用紙群Ｐｏ１、Ｐｏ２、Ｐｏ３のインデックスを総覧にして印字したインデックス総覧シートＨｏを、図１５に示すように、前記インデックス総覧シートをも含んだ複写用紙の束Ｇｎの先頭ページとなるように出力する構成としてもよい。
【００３８】
例えば、図１６（ａ）、図１６（ｂ）に示すように、前記操作部４により当該デジタル複写機２０の複写動作開始スイッチ、例えば、前記プリントスイッチとしてのスタートキー２２が操作されると（ＳＤ１、ＳＥ１）、前記インデックスデータ付与手段３１において、前記インデックスデータ生成部３４が前記入力インデックスデータ記憶部３２に記憶されている入力インデックスデータに基づいて、例えば、前記図１４に示したような、インデックス総覧データを生成するとともに（ＳＤ２）、前記生成したインデックス総覧データを画像データとして前記画像変換部２１へ出力する（ＳＤ３）。
一方、前記合紙挿入手段３８は、前記インデックスデータ総覧シートが、複写側合紙と同じ種類の複写用紙となるように、前記搬送部７により、前記複数の一般給紙カセット１１ａや前記手差し給紙カセット１１ｂのうちの何れかから予め設定された給紙カセットから複写用紙を給紙する（ＳＥ２）。
【００３９】
つまり、前記搬送部７により給紙された複写用紙に、前記インデックス総覧が印字されることで、インデックス総覧シートＨｏとして前記デジタル複写機２０から出力される。
【００４０】
また、その後、前記複写側合紙挿入処理を続けて実施することで、前記インデックス総覧シートＨｏに後続して、前記原稿トレイ１２に積層載置された複数の原稿Ｇｐに対応した前記複写用紙の束Ｇｏが前記デジタル複写機２０から出力される。
【００４１】
つまり、ユーザは、前記インデックス総覧シートＨｏにより、前記インデックス総覧シートＨｏの後に出力される前記複写用紙の束Ｇｏに含まれる前記各一連の文書の概要、つまり、前記各複写用紙群Ｐｏ１、Ｐｏ２、Ｐｏ３の概要を容易に総覧することができる。
上述した実施形態は、本発明の一例に過ぎず、本発明の作用効果を奏する範囲において各ブロックの具体的構成等を適宜変更設計できることは言うまでもない。
【図面の簡単な説明】
【００４２】
【図１】複写側合紙挿入処理にかかる機能ブロック構成の説明図
【図２】デジタル複写機の説明図
【図３】画像読取部の説明図
【図４】操作部の説明図
【図５】デジタル複写機の制御部の説明図
【図６】モード設定画面の説明図
【図７】（ａ）原稿側合紙の説明図、（ｂ）複写側合紙の説明図
【図８】原稿合紙判断部の動作を説明するためのフローチャート
【図９】合紙挿入手段の動作を説明するためのフローチャート
【図１０】入力インデックスデータの説明図
【図１１】インデックスデータ付与手段の動作を説明するためのフローチャート
【図１２】インデックスデータの説明図
【図１３】タグの説明図
【図１４】インデックス総覧シートの説明図
【図１５】インデックス総覧シートと他の複写用紙との関係の説明図
【図１６】（ａ）インデックス総覧シートの出力にかかるインデックスデータ付与手段の動作を説明するためのフローチャート、（ｂ）インデックス総覧シートの出力にかかる合紙挿入手段の動作を説明するためのフローチャート
【符号の説明】
【００４３】
３：画像形成手段
１３：原稿搬送手段
１４：画像読取手段
２０：デジタル複写機
３０：原稿側合紙判断部
３１：インデックスデータ付与手段
３２：入力インデックスデータ記憶部
３３：合紙カウント部
３４：インデックスデータ生成部
３５：サンプル記憶部
３７：置換処理部
３８：合紙挿入手段
１２１：合紙検出手段
【図１】
2007096568.tif 000003
【図２】
2007096568.tif 000004
【図３】
2007096568.tif 000005
【図４】
2007096568.tif 000006
【図５】
2007096568.tif 000007
【図７】
2007096568.tif 000008
【図８】
2007096568.tif 000009
【図９】
2007096568.tif 000010
【図１０】
2007096568.tif 000011
【図１１】
2007096568.tif 000012
【図１２】
2007096568.tif 000013
【図１３】
2007096568.tif 000014
【図１４】
2007096568.tif 000015
【図１５】
2007096568.tif 000016
【図１６】
2007096568.tif 000017
【図６】
2007096568.tif 000018